(57)【特許請求の範囲】
【請求項１】
二枚の平面基板をその間に液晶を封入して重ね合わせて成る液晶表示素子と，前記両平面基板のうち一方の平面基板に他方の平面基板の一端面からはみ出すように一体的に設けたはみ出し端子部と，このはみ出し端子部の表面に搭載した駆動用ＩＣチップと，一端部を前記はみ出し端子部に対して接続したフレキシブルフラットケーブルとから成る液晶表示装置において，
前記駆動用ＩＣチップを，寸法及び形状並びに端子電極の配列を同じにした二つの駆動用ＩＣチップに構成して，この二つの駆動用ＩＣチップを，互いに１８０度方向変換して，前記他方の平面基板における一端面に沿って一列に並べて配設したことを特徴とする液晶表示装置の構造。
【請求項２】
前記請求項１の記載において，前記二つの駆動用ＩＣチップを，前記はみ出し端子部の表面に，導電粒子を合成樹脂に練り込んだ異方性導電フィルムにて固着したことを特徴とする液晶表示装置の構造。
【発明の詳細な説明】
【０００１】
【発明の属する技術分野】
本発明は，二枚の平面基板をその間に液晶を封入して重ね合わせて成る液晶表示素子に，駆動用ＩＣチップを搭載すると共に，外部への接続用のフレキシブルフラットケーブルの一端を固着して成る形式の液晶表示装置の構造に関するものである。
【０００２】
【従来の技術】
最近，携帯電話機等に使用される液晶表示装置は，図６及び図７に示すように，ガラス等の透明体による二枚の平面基板２，３をその間に液晶を封入して重ね合わせて液晶表示素子１を構成する場合に，前記両平面基板２，３のうち一方の平面基板２に他方の平面基板３の一端面３ａからのはみ出し端子部４を一体的に設けて，このはみ出し端子部４の表面に，駆動用ＩＣチップ５を搭載すると共に，外部への接続用のフレキシブルフラットケーブル６の一端部６ａを固着すると言う構成にしている。
【０００３】
そして，この種の液晶表示装置において，その小型・軽量化を図るためには，前記はみ出し端子部４における幅寸法Ｗ，つまり，他方の平面基板３の一端面３ａからのはみ出し寸法を出来るだけ小さくしなければならない。
【０００４】
この場合において，前記はみ出し端子部４における幅寸法Ｗを小さくするには，このはみ出し端子部４の表面に搭載されている駆動用ＩＣチップ５における幅寸法Ｓを小さくすることが考えられる。
【０００５】
【発明が解決しようとする課題】
しかし，前記駆動用ＩＣチップ５には，所定数の回路素子を形成するための表面積が必要であることにより，前記はみ出し端子部４における幅寸法Ｗを小さくすることのために，当該駆動用ＩＣチップ５における幅寸法Ｓを小さくした場合には，この駆動用ＩＣチップ５における長さ寸法Ｌを長くしなければならず，換言すると，前記駆動用ＩＣチップ５は，細長い形状にしなければならないから，その製造工程の途中，及び，前記はみ出し端子部４への搭載工程の途中において折れることが多発して，不良品の発生率が高くなり，コストのアップを招来するという問題があった。
【０００６】
本発明は，この問題を解消した液晶表示装置の構造を提供することを技術的課題とするものである。
【０００７】
【課題を解決するための手段】
この技術的課題を達成するため本発明は，
「二枚の平面基板をその間に液晶を封入して重ね合わせて成る液晶表示素子と，前記両平面基板のうち一方の平面基板に他方の平面基板の一端面からはみ出すように一体的に設けたはみ出し端子部と，このはみ出し端子部の表面に搭載した駆動用ＩＣチップと，一端部を前記はみ出し端子部に対して接続したフレキシブルフラットケーブルとから成る液晶表示装置において，
前記駆動用ＩＣチップを，寸法及び形状並びに端子電極の配列を同じにした二つの駆動用ＩＣチップに構成して，この二つの駆動用ＩＣチップを，互いに１８０度方向変換して，前記他方の平面基板における一端面に沿って一列に並べて配設する。」
という構成にした。
【０００８】
【発明の作用・効果】
このように，駆動用ＩＣチップを，二つの駆動用ＩＣチップにすることにより，この両駆動用ＩＣチップにおける幅寸法を小さくした状態のもとで，その長さ寸法を短くすることができる一方，前記二つの駆動用ＩＣチップを，前記他方の平面基板における一端面に沿って一列に並べて配設したことにより，前記はみ出し端子部における幅寸法が大きくなることを回避できる。
【０００９】
従って，本発明によると，駆動用ＩＣチップに折れ損が発生することを確実に低減できる状態のもとで，液晶表示装置の小型・軽量化を図ることができる効果を有する。
【００１０】
これに加えて，前記二つの駆動用ＩＣチップとして，寸法及び形状並びに端子電極の配列を同じにした二つの駆動用ＩＣチップを使用し，この二つの駆動用ＩＣチップを互いに１８０度方向変換して搭載することにより，各駆動用ＩＣチップを，一つの部品として製造することができるものでありながら，詳しくは後述するように，液晶表示素子における多数本のコモン透明電極及びセグメント透明電極，並びに前記駆動用ＩＣチップからの各種配線パターンを，二つの駆動用ＩＣチップに対して左右対称形の配列にすることができるから，これらコモン透明電極及びセグメント透明電極並びに各種配線パターンを形成することが容易にできて，コストのアップを回避できるのである。
【００１１】
【発明の実施の形態】
以下，本発明の実施の形態を，図１〜図５の図面について説明する。
【００１２】
この図において，符号１１は，ガラス等の透明体製のフロント側平面基板１２と，リア側の平明基板１３とを，その間に液晶を封入して重ね合わせて成る液晶表示素子を示し，この液晶表示素子１１におけるフロント側平面基板１２には，横方向又は縦方向に延びる多数本のコモン又はセグメントの透明電極１５が，また，前記リア側平面基板１３には，縦方向又は横方向に延びる多数本のセグメント又はコモンの透明電極１６が各々形成されている。
【００１３】
前記リア側平面基板１３には，フロント側平面基板１２の一端面１２ａから適宜寸法Ｗだけはみ出すようにしたはみ出し端子部１４が一体的に設けられ，このはみ出し端子部１４における表面（上面）１４ａには，二つの駆動用ＩＣチップ１７，１８が，前記フロント側平面基板１２の一端面１２ａに沿って一列に並べて搭載されている。
【００１４】
また，前記はみ出し端子部１４には，その表面１４ａに前記両駆動用ＩＣチップ１７，１８から延びる各種配線パターン１９が形成されていると共に，フレキシブルフラットケーブル２０における一端部２０ａが，当該フレキシブルフラットケーブル２０における各電線を前記各種配線パターン１９の各々に電気的に接続するようにして固着されている。
【００１５】
前記両駆動用ＩＣチップ１７，１８を，その幅寸法Ｓ及び長さ寸法Ｌ並びに高さ寸法を同じにした同じ形状にすることに加えて，その一端部から長さＬ１の部分に，前記多数本のコモン又はセグメント透明電極１５のうち半分の各透明電極１５の各々に接続する複数個の端子電極１７ａ，１８ａを，長さＬ２の部分に，前記多数本のセグメント又はコモン透明電極１６のうち半分の各透明電極１６の各々に接続する複数個の端子電極１７ｂ，１８ｂを，そして，残りの長さＬ３の部分に，前記各種配線パターン１９のうち半分の配線パターン１９の各々に接続する端子電極１７ｃ，１８ｃを形成するというように，各端子電極の配列を，二つの駆動用ＩＣチップ１７，１８について同じにする。
【００１６】
そして，このように，寸法及び形状並びに端子電極の配列を同じにした二つの駆動用ＩＣチップ１７，１８を，前記はみ出し端子部１４の表面１４ａに一列に並べて搭載するに際して，コモン又はセグメント透明電極１５に対する各端子電極１７ａ，１８ａが外側に，セグメント又はコモン透明電極１６に対する各端子電極１７ｂ，１８ｂが中央に，そして，各種配線パターン１９に対する各端子電極１７ｃ，１８ｃが内側に各々に位置するように，互いに１８０度方向変換して搭載するのである。
【００１７】
また，前記各駆動用ＩＣチップ１７，１８は，導電粒子を合成樹脂に練り込んだ異方性導電フィルム２１，２２を使用して，前記はみ出し端子部１４に対して，その各端子電極１７ａ，１８ａ，１７ｂ，１８ｂ，１７ｃ，１８ｃの各々を前記コモン又はセグメント透明電極１５，セグメント又はコモン透明電極１６及び各種配線パターン１９に電気的に接続すると同時に固着される。
【００１８】
このように，二つの駆動用ＩＣチップ１７，１８に構成したことにより，各駆動用ＩＣチップ１７，１８における幅寸法Ｓを小さくした状態のもとで，その長さ寸法Ｌを短くすることができるから，その製造工程の途中，及びはみ出し端子部１４への搭載工程の途中において折れ損が発生することを，一つの駆動用ＩＣチップに構成する場合よりも確実に低減できるのであり，また，前記各駆動用ＩＣチップ１７，１８を，前記フロント側平面基板１２における一端面１２ａに沿って一列に並べて配設したことにより，前記はみ出し端子部１４における幅寸法Ｗが大きくなることを回避できるのである。
【００１９】
更にまた，図示のように，このはみ出し端子部１４における端面１４ｂに対してフレキシブルフラットケーブル２０における一端部２０ａを固着することにより，このフレキシブルフラットケーブルにおける一端部を前記はみ出し端子部１４の表面に重ねて固着する場合よりも，はみ出し端子部１４における幅寸法Ｗを更に小さくして，液晶表示装置の小型・軽量化を図ることができる。
【００２０】
ところで，前記二つの駆動用ＩＣチップ１７，１８を，はみ出し端子部１４に搭載するに際して，互いに１８０度方向変換することなく搭載した場合には，多数本のコモン又はセグメント透明電極１５の半分と，多数本のセグメント又はコモン透明電極１６の半分とを，両駆動用ＩＣチップ１７，１８のうち一方に接続する直前において交差するようにしなければならないばかりか，各種配線パターン１９の半分も長く引き回すようにしなければならないから，液晶表示素子１１に，多数本のコモン透明電極及びセグメント透明電極，並びに前記駆動用ＩＣチップからの各種配線パターンを形成することが困難になる。
【００２１】
これに対して，前記したように，両駆動用ＩＣチップ１７，１８を，寸法及び形状が同じで，且つ，端子電極の配列を同じにして，これを互いに１８０度方向変換して搭載することにより，各駆動用ＩＣチップ１７，１８を，一つの部品として製造することができるものでありながら，液晶表示素子における多数本のコモン又はセグメント透明電極１５，及びセグメント又はコモン透明電極１６，並びに各種配線パターン１９を，二つの駆動用ＩＣチップ１７，１８に対して左右対象形の配列にすることができて，交差すること及び長く引き回すことを回避できるから，これらコモン又はセグメント透明電極１５及びセグメント又はコモン透明電極１６並びに各種配線パターン１９を形成することが容易にできるのである。
【００２２】
但し，このように構成した場合には，多数本のコモン透明電極のうち半分の部分と，残りの半分の部分とが同時にＯＮにならないようにしたコモン信号の調停のための端子を必要とする。
【図面の簡単な説明】
【図１】  本発明の実施の形態を示す斜視図である。
【図２】  図１のII−II視拡大断面図である。
【図３】  本発明の実施の形態においてコモン透明電極及びセグメント透明電極並びに各種配線パターンを示す図である。
【図４】  本発明の実施の形態において一方の駆動用ＩＣチップの部分を示す分解斜視図である。
【図５】  本発明の実施の形態において他方の駆動用ＩＣチップの部分を示す分解斜視図である。
【図６】  従来の例を示す斜視図である。
【図７】  図６のVII −VII 視拡大断面図である。
【符号の説明】
１１                  液晶表示素子
１２，１３            平面基板
１４                  はみ出し端子部
１４ａ                はみ出し端子部の表面
１４ｂ                はみ出し端子部の端面
１５                  コモン又はセグメント透明電極
１６                  セグメント又はコモン透明電極
１７，１８            駆動用ＩＣ
１７ａ，１８ａ        コモン又はセグメント透明電極に対する端子電極
１７ｂ，１８ｂ        セグメント又はコモン透明電極に対する端子電極
１７ｃ，１８ｃ        各種配線パターンに対する端子電極
１９                  各種配線パターン
２０                  フレキシブルフラットケーブル
【図１】
0003811583.tif 000002
【図２】
0003811583.tif 000003
【図３】
0003811583.tif 000004
【図４】
0003811583.tif 000005
【図５】
0003811583.tif 000006
【図６】
0003811583.tif 000007
【図７】
0003811583.tif 000008